(57)【要約】  発光アセンブリを備えた浄水器は、発光アセンブリ（１）、外側ハウジング（２）、中枠（３）及び上蓋（４）を含む。発光アセンブリ（１）は、ライトリングサポート（１１）と、ライトリングサポート（１１）に取り付けられた発光部品を含む。発光アセンブリ（１）は中枠（３）に組み立てられる。中枠（３）、発光アセンブリ（１）及び外側ハウジング（２）は、内側から外側に向かって順に配置される。上蓋（４）は、中枠（３）及び／又は外側ハウジング（２）の上部に配置され、ライトリングサポート（１１）は上蓋（４）に隣接するか又は当接する。浄水器の発光アセンブリ（１）が点灯して発光すると、ライトリングサポート（１１）の上部に均一に発光する発光リングが形成され、これも照明の役割を果たすことができる。
2020521624.tif 000002
【特許請求の範囲】
【請求項１】
発光アセンブリを備えた浄水器であって、発光アセンブリ（１）、外側ハウジング（２）、中枠（３）及び上蓋（４）を含み、前記発光アセンブリ（１）は、ライトリングサポート（１１）と、前記ライトリングサポート（１１）に取り付けられた発光部品を含み、発光アセンブリ（１）は中枠（３）に組み立てられ、中枠（３）、発光アセンブリ（１）及び外側ハウジング（２）は内側から外側に向かって順に配置され、前記上蓋（４）は、中枠（３）及び／又は外側ハウジング（２）の上部に配置され、ライトリングサポート（１１）は上蓋（４）に隣接するか又は当接することを特徴とする発光アセンブリを備えた浄水器。
【請求項２】
前記ライトリングサポート（１１）は、中枠（３）と外側ハウジング（２）の間から上向きに露出し、前記ライトリングサポート（１１）は透明材料で作られることを特徴とする請求項１に記載の発光アセンブリを備えた浄水器。
【請求項３】
前記中枠（３）及び外側ハウジング（２）はいずれも不透明材料で作られることを特徴とする請求項１に記載の発光アセンブリを備えた浄水器。
【請求項４】
前記上蓋（４）の周囲は、透明又は半透明の光透過性材料で作られることを特徴とする請求項１に記載の発光アセンブリを備えた浄水器。
【請求項５】
上蓋（４）を更に含み、前記中枠（３）の上端は、前記外側ハウジング（２）の上端よりも低いため、中枠（３）と外側ハウジング（２）とが組み立てられた後に溝が形成され、上蓋（４）は、中枠（３）と外側ハウジング（２）とが組み立てられた後に形成された溝に置かれることを特徴とする請求項１〜４のいずれか一項に記載の発光アセンブリを備えた浄水器。
【請求項６】
前記ライトリングサポート（１１）は全体としてリング形状であり、凹溝（１１１）が設置され、前記発光部品はＰＣＢ板（１２）であり、前記ＰＣＢ板（１２）には、前記ＰＣＢ板（１２）に電気的に接続された外部接続導線（１４）と、少なくとも２つの発光体（１３）とが設置され、前記ＰＣＢ板（１２）は凹溝（１１１）内に置かれて固定されることを特徴とする請求項５に記載の発光アセンブリを備えた浄水器。
【請求項７】
各前記発光体（１３）は、前記ＰＣＢ板（１２）に沿って均一に分布していることを特徴とする請求項６に記載の発光アセンブリを備えた浄水器。
【請求項８】
前記発光体（１３）はＬＥＤランプであることを特徴とする請求項６に記載の発光アセンブリを備えた浄水器。
【請求項９】
前記凹溝（１１１）には光ガイドコロイドが充填され、それにより前記ＰＣＢ板（１２）は前記凹溝（１１１）内に固定されることを特徴とする請求項７に記載の発光アセンブリを備えた浄水器。
【請求項１０】
前記ＰＣＢ板（１２）は屈曲可能なＰＣＢ板であることを特徴とする請求項７に記載の発光アセンブリを備えた浄水器。
【発明の詳細な説明】
【技術分野】
【０００１】
本発明は浄水器技術の分野に属し、具体的には、発光アセンブリを備えた浄水器に関する。
【背景技術】
【０００２】
現在、照明と浄水器の美化の目的を達成するために、市販の浄水器には既に発光アセンブリが取り付けられているものがある。しかしながら、発光アセンブリが取り付けられている市販の従来の浄水器は、発光リングを形成することができない。
【０００３】
また、先行技術の浄水器及び／又は発光アセンブリはいずれも、不均一な発光及び不十分な輝度という技術的問題を有する。
【発明の概要】
【発明が解決しようとする課題】
【０００４】
上記問題を解決するために、本発明の目的は、簡単で合理的な構造を有し、設置が容易で発光リングを形成する発光アセンブリを備えた浄水器を提供することである。
【０００５】
本発明は以下のような技術的手段を採用する。
【０００６】
発光アセンブリを備えた浄水器は、発光アセンブリ、外側ハウジング、中枠及び上蓋を含み、前記発光アセンブリは、ライトリングサポートと、前記ライトリングサポートに取り付けられた発光部品を含み、発光アセンブリは中枠（３）に配設され、中枠、発光アセンブリ及び外側ハウジングは内側から外側に向かって順に配置され、前記上蓋は、中枠及び／又は外側ハウジングの上部に配置され、ライトリングサポートは、上蓋の位置に隣接するか又は当接する。
【０００７】
発光アセンブリが点灯し発光すると、発光アセンブリから放出された光は、外側ハウジング及び中枠によりブロックされ、ライトリングサポートの上部に集められて、ライトリングサポート（１１）の上部に均一に発光する発光リングが形成され、これも照明の役割を果たすことができる。
【０００８】
さらに、前記ライトリングサポートは、中枠と外側ハウジングの間から上向きに露出する。ライトリングサポートは透明材料で作られ、発光の輝度及び発光の均一効果がさらに向上するのにさらに有利である。
【０００９】
さらに、前記中枠及び外側ハウジングはいずれも不透明材料で作られるため、光が中枠及び外側ハウジングを通して容易に消えず、発光の輝度と発光の均一効果に影響を与えない。
【００１０】
さらに、前記上蓋の周囲は透明又は半透明の光透過材料で作られる。上蓋は、密封作用を果たすことができ、上蓋がより効果的な発光リングの形成に有利である。
【００１１】
さらに、上蓋が含まれる。中枠の上端は、外側ハウジングの上端よりも低いため、中枠と外側ハウジングとが組み立てられた後に溝が形成される。上蓋は、中枠と外側ハウジングとが組み立てられた後に形成された溝に置かれる。
【００１２】
発光アセンブリが点灯すると、ライトリングサポートの上部の光は上蓋に照射することができ、それにより、上蓋でも可視的な光リングが形成され、光が均一で美しく、照明の作用を果たすこともできる。
【００１３】
好ましくは、ライトリングサポートは全体としてリング形状であり、凹溝が設置される。発光部品はＰＣＢ板である。ＰＣＢ板には、ＰＣＢ板に電気的に接続された外部接続導線と、少なくとも２つの発光体とが設置される。ＰＣＢ板は、凹溝に置かれて固定される。
【００１４】
好ましくは、各前記発光体は前記ＰＣＢ板に沿って均一に分布している。
【００１５】
好ましくは、前記発光体はＬＥＤランプである。
【００１６】
好ましくは、前記凹溝には光ガイドコロイドが充填され、それにより前記ＰＣＢ板は前記凹溝内に固定される。
【００１７】
光ガイドコロイドによって、発光体が発する光は、光ガイドコロイドに沿って均一に照射されるため、発光アセンブリは均一に発光する。
【００１８】
好ましくは、前記ＰＣＢ板は、屈曲可能なＰＣＢ板である。
【００１９】
ＰＣＢ板が凹溝に置かれると、屈曲可能なＰＣＢ板の屈曲により形成されたリング形状の直径を調製して、ＰＣＢ板の凹溝への配置を容易にし、それにより発光アセンブリの組み立てを容易にすることができる。
【００２０】
従来技術と比較して、本発明は以下の効果を有する。
【００２１】
（１）発光アセンブリが点灯し発光すると、発光アセンブリから放出された光は、外側ハウジング及び中枠によりブロックされ、ライトリングサポートの上部に集められて、ライトリングサポート（１１）の上部に均一に発光する発光リングが形成され、これも照明の役割を果たすことができる。
【００２２】
（２）上蓋でも可視的な光リングが形成され、光が均一で美しく、照明の作用を果たすこともできる。
【００２３】
（３）光ガイドコロイドによって、発光体が発する光は、光ガイドコロイドに沿って均一に照射されるため、発光アセンブリは均一に発光する。
【００２４】
（４）発光アセンブリの組み立てはより便利である。
【図面の簡単な説明】
【００２５】
【図１】本発明に係る発光アセンブリを備えた浄水器の立体分解模式図である。
【図２】本発明に係る発光アセンブリを備えた浄水器のハーフ断面模式図である。
【図３】発光アセンブリの立体分解模式図である。
【図４】発光アセンブリのハーフ断面模式図である。
【図５】Ａの拡大図である。
【発明を実施するための形態】
【００２６】
図１及び図２を参照されたい。本発明は、発光アセンブリを備えた浄水器である。その浄水器は、発光アセンブリ１、外側ハウジング２、及び中枠３を含む。中枠３は、従来技術において浄水用の部品が取り付けられる枠である。
【００２７】
図３〜図５を参照されたい。発光アセンブリ１は、ライトリングサポート１１及び発光部品を含む。
【００２８】
ライトリングサポート１１は全体としてリング形状であり、凹溝１１１が設置される。
【００２９】
発光部品はＰＣＢ板１２である。ＰＣＢ板１２には、ＰＣＢ板１２に電気的に接続された外部接続導線１４と、少なくとも２つの発光体１３とが設置される。各発光体１３は、ＰＣＢ板１２に沿って均一に分布する。好ましくは、発光体１３はＬＥＤランプである。
【００３０】
ＰＣＢ板１２は凹溝１１１に置かれて固定される。それにより、各発光体１３は、凹溝１１１において均一に分布する。好ましくは、凹溝１１１には光ガイドコロイドが充填され、それによりＰＣＢ板１２は凹溝１１１内に固定される。光ガイドコロイドによって、発光体１３が発する光は、光ガイドコロイドに沿って均一に照射されるため、発光アセンブリ１は均一に発光する。
【００３１】
使用時、外部接続導線１４は電源に電気的に接続されて、各発光体１３を発光させる。ライトリングサポート１１は各発光体１３の照射下で均一に発光し、比較的高い輝度を有する。
【００３２】
好ましくは、ＰＣＢ板１２は、屈曲可能なＰＣＢ板である。ＰＣＢ板１２が凹溝１１１に置かれると、屈曲可能なＰＣＢ板１２の屈曲により形成されたリング形状の直径を調製して、ＰＣＢ板１２の凹溝１１１への配置を容易にし、それにより発光アセンブリ１の組み立てを容易にすることができる。
【００３３】
発光アセンブリ１は中枠３に組み立てられる。中枠３、発光アセンブリ１及び外側ハウジング２は、内側から外側に向かって順に配置される。ライトリングサポート１１は、中枠３と外側ハウジング２の間から上向きに露出する。ライトリングサポート１１は透明材料で作られ、中枠３及び外側ハウジング２はいずれも不透明材料で作られる。発光アセンブリ１が点灯し発光すると、発光アセンブリ１から放出された光は、外側ハウジング２及び中枠３によりブロックされ、ライトリングサポート１１の上部に集められて、ライトリングサポート１１の上部に均一に発光する発光リングが形成され、これも照明の役割を果たすことができる。
【００３４】
本発明の発光アセンブリを備えた浄水器は上蓋４を更に含む。中枠３の上端は外側ハウジング２の上端よりも低いため、中枠３と外側ハウジング２とが組み立てられた後に溝が形成される。上蓋４は、中枠３と外側ハウジング２とが組み立てられた後に形成された溝に置かれる。上蓋４は、密封の作用を果たすことができる。
【００３５】
さらに、上蓋４の周囲（即ち、中枠３と外側ハウジング２の間から上向きに露出した部分が上蓋４に投影されて形成された領域）は、透明又は半透明の光透過材料である。発光アセンブリ１が点灯すると、ライトリングサポート１１の上部の光は上蓋４に照射することができ、それにより、上蓋４でも可視的な光リングが形成され、光が均一で美しく、照明の作用を果たすこともできる。
【００３６】
なお、用語「中心」、「縦方向」、「横方向」、「前」、「後ろ」、「左」、「右」、“垂直”、“水平”、“頂”、“底”、“内”、“外”などの指示の方位又は位置関係は図面に示されている方位又は位置関係に基づいており、本発明を容易及び簡単に説明するためであり、装置又は部材が必ず特別な方位、特別な方位構造と操作を有するものであると指示又は示唆するものではないため、本発明を制限するものではないと理解されるべきである。
【００３７】
上述の具体的な実施形態は本創作の好適な実施形態に過ぎず、本創作を制限することを意図したものではない。本創作の精神及び原則内で行われる全ての修正、同等の置換、改善などは、いずれも本創作の保護範囲内に含まれるべきである。
【符号の説明】
【００３８】
発光アセンブリ１；ライトリングサポート１１；凹溝１１１；ＰＣＢ板１２；発光体１３；外部接続導線１４；外側ハウジング２；中枠３；上蓋４。
【図１】
2020521624.tif 000003
【図２】
2020521624.tif 000004
【図３】
2020521624.tif 000005
【図４】
2020521624.tif 000006
【図５】
2020521624.tif 000007
【国際調査報告】
2020521624.tif 000008
2020521624.tif 000009
2020521624.tif 000010
2020521624.tif 000011